(57)【要約】【課題】対象物を所望の位置および長さごとに収集することが容易な切断具を実現する。【解決手段】切断具（１）は、互いに連結された複数の鋏部（１０）と、複数の鋏部のそれぞれが備える第１刃部（１１）を互いに連結させる第１連結部（２１）と、複数の鋏部のそれぞれが備える第２刃部（１２）を互いに連結させる第２連結部（２２）とを備え、複数の第２刃部のうちの少なくとも１つは、第２連結部と着脱可能に接続されている。【選択図】図１
2020000808.tif 000002
【特許請求の範囲】
【請求項１】
互いに連結された複数の鋏部を備えた切断具であって、
前記鋏部は、
互いに閉じることにより対象物をせん断する第１刃部および第２刃部と、
前記第１刃部に設けられた第１保持部と、
前記第２刃部に設けられ、前記第１刃部と前記第２刃部とが閉じることにより前記第１保持部とともに前記対象物を保持する第２保持部とを備え、
前記切断具は、
複数の前記鋏部のそれぞれが備える前記第１刃部を互いに連結させる第１連結部と、
複数の前記鋏部のそれぞれが備える前記第２刃部を互いに連結させる第２連結部とをさらに備え、
複数の前記第２刃部のうちの少なくとも１つは、前記第２連結部と着脱可能に接続されていることを特徴とする切断具。
【請求項２】
前記第２刃部と前記第２連結部とを着脱可能に接続する接続部を備える請求項１に記載の切断具。
【請求項３】
前記接続部は、
前記第２連結部の一部を受け入れる溝部と、
前記溝部の開放側の端部の少なくとも一部を塞ぐ状態と、当該端部を開放する状態とを切り換え可能な可動部材とを備えることを特徴とする請求項２に記載の切断具。
【請求項４】
前記接続部は、ネジを含むことを特徴とする請求項２または３に記載の切断具。
【請求項５】
前記第１保持部および前記第２保持部のうち、少なくとも一方は、他方との接触により収縮することを特徴とする請求項１から４のいずれか１項に記載の切断具。
【請求項６】
前記第１保持部および前記第２保持部のうちの一方は、他方との接触により収縮し、前記他方は、前記一方との接触により収縮しないことを特徴とする請求項１から５のいずれか１項に記載の切断具。
【請求項７】
前記第１保持部または前記第２保持部は、弾性を有する材料で形成されているか、または収縮可能な機構を有していることを特徴とする請求項１から６のいずれか１項に記載の切断具。
【請求項８】
複数の前記鋏部は、等間隔で配置されていることを特徴とする請求項１から７のいずれか１項に記載の切断具。
【請求項９】
前記第１保持部は、前記第１刃部の前記第２刃部と対向している側に設けられ、
前記第２保持部は、前記第２刃部の前記第１刃部と対向していない側に設けられている請求項１から８のいずれか１項に記載の切断具。
【発明の詳細な説明】
【技術分野】
【０００１】
本開示は、切断具に関する。
【背景技術】
【０００２】
特許文献１には、ハサミの刃を同軸支点上に複数個並行して並べ、力点側である取っ手を閉じることにより複数個の刃で同時に切れ目を複数個入れることを可能とする技術が開示されている。
【先行技術文献】
【特許文献】
【０００３】
【特許文献１】特開２００７−２０３００３号公報
【発明の概要】
【発明が解決しようとする課題】
【０００４】
しかしながら、当該技術では、対象物が同時に複数箇所で切断されるため、切断された対象物が散乱し、所望の位置ごとに収集できなくなる虞がある。
【０００５】
本開示の一態様は、対象物を所望の位置および長さごとに収集することが容易な切断具を実現することを目的とする。
【課題を解決するための手段】
【０００６】
上記の課題を解決するために、本開示の一態様に係る切断具は、互いに連結された複数の鋏部を備えた切断具であって、前記鋏部は、互いに閉じることにより対象物をせん断する第１刃部および第２刃部と、前記第１刃部に設けられた第１保持部と、前記第２刃部に設けられ、前記第１刃部と前記第２刃部とが閉じることにより前記第１保持部とともに前記対象物を保持する第２保持部とを備え、前記切断具は、複数の前記鋏部のそれぞれが備える前記第１刃部を互いに連結させる第１連結部と、複数の前記鋏部のそれぞれが備える前記第２刃部を互いに連結させる第２連結部とをさらに備え、複数の前記第２刃部のうちの少なくとも１つは、前記第２連結部と着脱可能に接続されている。
【発明の効果】
【０００７】
本開示の一態様に係る切断具によれば、対象物を所望の位置および長さごとに収集することが容易にできる。
【図面の簡単な説明】
【０００８】
【図１】実施形態１に係る切断具の構成を示す平面図である。
【図２】実施形態１に係る切断具の構成を示す側面図である。
【図３】第１保持部の構成の一例を示す図である。
【図４】（ａ）は、第１刃部と第２刃部とが開いた状態における、第１保持部および第２保持部の状態を示す図であり、（ｂ）は、第１刃部と第２刃部とが閉じた状態における、第１保持部および第２保持部の状態を示す図である。
【図５】第１保持部の構成の、別の例を示す図である。
【図６】鋏部の構成を示す側面図である。
【図７】接続部の構成を示す図であって、（ａ）は接続状態、（ｂ）は非接続状態、（ｃ）は変形例の構成を示す図である。
【図８】毛髪を切断した後の切断具の状態を示す側面図である。
【図９】１つの接続部をスライドさせた切断具の状態を示す平面図である。
【図１０】実施形態２に係る切断具の構成を示す図である。
【図１１】実施形態２に係る切断具の、別の構成を示す図である。
【図１２】実施形態３に係る切断具が備える分離防止部の構成を示す図であって、（ａ）は第２刃部と第２連結部との分離を分離防止部が防止する状態を示す図であり、（ｂ）は第２刃部と第２連結部との分離を分離防止部が防止しない状態を示す図である。
【発明を実施するための形態】
【０００９】
〔実施形態１〕
以下、本開示の一実施形態について、詳細に説明する。
【００１０】
（切断具１の構成）
図１は、本実施形態に係る切断具１の構成を示す平面図である。図２は、本実施形態に係る切断具１の構成を示す側面図である。図１および図２には、第１刃部１１と第２刃部１２とが開いた状態が示されている。図１および図２に示すように、切断具１は、互いに連結された複数の鋏部１０と、第１連結部２１と、第２連結部２２と、接続部２３と、第１持ち手３１と、第２持ち手３２とを備える。本実施形態では、切断具１は、鋏部１０を３つ備えるが、それに限定されるものではない。切断具１は、２つ以上の鋏部１０を備えていてもよい。なお、図１は、切断具１を、第２持ち手３２が第１持ち手３１よりも手前側になる方向から見た図である。
【００１１】
第１持ち手３１および第２持ち手３２は、ユーザが切断具１を把持するための部材である。第１持ち手３１は第１連結部２１に接続され、第２持ち手３２は第２連結部２２に接続されている。ユーザが第１持ち手３１および第２持ち手３２の間隔を変更することで、第１連結部２１により互いに連結されている全ての第１刃部１１と、第２連結部２２により互いに連結されている全ての第２刃部１２とが開閉する。
【００１２】
第１刃部１１、第２刃部１２、第１持ち手３１および第２持ち手３２などは、一般的な鋏におけるそれらの部材と同様の材料で形成されればよい。また、第１連結部２１、第２連結部２２、および接続部２３は、例えば金属または樹脂などで形成されればよい。
【００１３】
鋏部１０は、切断対象を切断する鋏の基本単位である。それぞれの鋏部１０は、第１刃部１１と、第２刃部１２と、第１保持部１３と、第２保持部１４と、回転軸１５とを備える。
【００１４】
本実施形態では、切断する対象物の一例として、毛髪を挙げている。本実施形態では、切断された毛髪は、生理活性物質の蓄積量を測定するのに用いられる。一般に、毛髪は１ヶ月で約１０ｍｍ成長する。このため、複数の鋏部１０の間隔を好ましくは１０ｍｍとし、毛髪を１０ｍｍ間隔で切断することで、１ヶ月ごとの生理活性物質の蓄積量を測定することができる。また、複数の鋏部１０の間隔を１０ｍｍよりも長くすることで、１ヶ月よりも長い期間における生理活性物質の蓄積量を測定することができる。そのため、複数の鋏部１０は、それぞれ等間隔で配置されていることが好ましい。
【００１５】
逆に、１ヶ月よりも短い期間における生理活性物質の蓄積量を測定する場合には、複数の鋏部１０の間隔を１０ｍｍよりも短くしてもよい。例えば複数の鋏部１０の間隔を５ｍｍとすれば、２週間での生理活性物質の蓄積量を測定することができる。
【００１６】
第１刃部１１および第２刃部１２は、回転軸１５により互いに回動可能に接続されており、互いに閉じることにより毛髪をせん断する。
【００１７】
第１保持部１３および第２保持部１４は、毛髪を保持する部材である。第１保持部１３は、第１刃部１１の第２刃部と対向している側に設けられている。第２保持部１４は、第２刃部１２の第１刃部と対向していない側に設けられている。第１刃部１１と第２刃部１２とが閉じることにより、第１保持部１３と第２保持部１４とが毛髪を挟みながら互いに接触することによって毛髪が保持される。第１保持部１３および第２保持部１４は、弾性を有する材料で形成されているか、または収縮可能な機構を有している。
【００１８】
図３は、第１保持部１３の構成の一例を示す図である。図３に示す例では、第１保持部１３は、保持部回転軸１３ａにより、第１刃部１１に対して回動可能に接続されている。このため、第１刃部１１と第２刃部１２とが閉じた場合において、第１保持部１３は、第２保持部１４と面で接触するように回動する。
【００１９】
図４の（ａ）は、第１刃部１１と第２刃部１２とが開いた状態における、第１保持部１３および第２保持部１４の状態を示す図である。図４の（ｂ）は、第１刃部１１と第２刃部１２とが閉じた状態における、第１保持部１３および第２保持部１４の状態を示す図である。図４の（ａ）および（ｂ）に示す例では、第１保持部１３は、弾性を有する材料（スポンジなどの弾性体）で形成されている。このため、図４の（ｂ）に示すように、第１刃部１１と第２刃部１２とが閉じた状態では、第１保持部１３は、第２保持部１４との接触により収縮する。したがって、第１保持部１３の弾性により、毛髪が強固に保持される。
【００２０】
図４の（ａ）および（ｂ）に示す例では、第２保持部１４については弾性を有しない材料で形成されている。すなわち、第１保持部１３は、第２保持部１４との接触により収縮し、第２保持部１４は、第１保持部１３との接触により収縮しない。
【００２１】
ただし、本開示の一態様においては、第２保持部１４についても弾性を有する材料で形成されていてもよい。その場合には、第１刃部１１と第２刃部１２とが閉じた状態では、第１保持部１３および第２保持部１４の両方が収縮する。すなわち、切断具１においては、第１保持部１３および第２保持部１４のうち、少なくとも一方が、他方との接触により収縮すればよい。
【００２２】
また、第２保持部１４の第１保持部１３と対向する面１４ａは、第２刃部１２の刃の稜線１２ａと一致している。
【００２３】
図５は、第１保持部１３の構成の、別の例を示す図である。図５に示す例では、第１保持部１３は、保持部回転軸１３ａにより第１刃部１１に接続される本体部１３ｂと、バネ１３ｄと、本体部１３ｂに対してバネ１３ｄを介して接続される収縮部１３ｃとを備える。第１刃部１１が閉じると、収縮部１３ｃが第２保持部１４と接触してバネ１３ｄが圧縮されることで、第１保持部１３が収縮する。
【００２４】
なお、第１保持部１３および第２保持部１４の両方が収縮可能である場合に、当該両方が同じ材料または機構である必要はない。例えば第１保持部１３が弾性を有する材料で構成され、第２保持部１４が収縮可能な機構を有していてもよい。
【００２５】
図６は、鋏部１０の構成を示す側面図である。詳細には、図６は、鋏部１０を、第１持ち手３１および第２持ち手３２とは逆側から見た側面図である。図６には、第１保持部１３と第２保持部１４とが当接し、第１刃部１１および第２刃部１２が完全に閉じられる直前の状態の鋏部１０が示されている。図６に示す例では、第１刃部１１の刃の稜線１１ａと第２刃部１２の稜線１２ａ（図４の（ａ）参照）との交点Ｐは、第２保持部１４の第１保持部１３と対向する面を含む平面上に存在する。ただし、上記交点Ｐは必ずしも厳密に上記平面上に存在する必要はなく、多少のズレは許容される。
【００２６】
上述したとおり、切断具１において、第２保持部１４は弾性を有しない。このため、第１刃部１１と第２刃部１２との接点が、第２保持部１４の第１保持部１３と対向する面を含む平面上に存在することで、切断された毛髪が折れ曲がることなく第１保持部１３および第２保持部１４の間で保持される。
【００２７】
また、第１保持部１３は、第１刃部１１と対向する側の面および第２刃部１２と対向する面にまたいで形成された切欠き部を有している。当該切欠き部によって、第２刃部１２を受け入れる空間Ｓが形成される。この構成により、第１刃部１１および第２刃部１２が閉じた場合に、空間Ｓに第２刃部１２が収納されるため、第２刃部１２と第１保持部１３とが干渉することを防止できる。
【００２８】
なお、第１刃部１１および第２刃部１２の刃先の形状は、特に限定されず、刃部本体に対して傾斜する面を有する先鋭な形状であってもよい。
【００２９】
図１に示すように、第１連結部２１は、複数の鋏部１０のそれぞれが備える第１刃部１１を互いに連結させる。また、第２連結部２２は、複数の鋏部１０のそれぞれが備える第２刃部１２を互いに連結させる。複数の第２刃部１２は、接続部２３を介して、第２連結部２２と着脱可能に接続されている。なお、複数の第２刃部１２の全てが第２連結部２２と着脱可能に接続されている必要はなく、少なくとも１つが第２連結部２２と着脱可能に接続されていればよい。
【００３０】
図７は、接続部２３の構成を示す図であって、（ａ）は接続状態、（ｂ）は非接続状態を示す。接続部２３は、複数の鋏部１０のそれぞれに設けられており、各鋏部１０において、第２刃部１２と第２連結部２２とを着脱可能に接続する。本実施形態の接続部２３は、第２刃部１２に対してスライド可能に構成されている。具体的には、第２刃部１２には溝部（不図示）が形成され、接続部２３には、当該溝部に嵌合される突出部（不図示）が形成されている。溝部に突出部が嵌合されることで、接続部２３は、第２刃部１２と第２連結部２２とを着脱可能に接続する。
【００３１】
接続部２３には、第２連結部２２の一部が嵌入される溝部２３ａが形成されている。図７の（ａ）に示す接続状態では、溝部２３ａに第２連結部２２が嵌入された状態となり、第２刃部１２と第２連結部２２とが接続される。一方、図７の（ｂ）に示す非接続状態では、溝部２３ａに第２連結部２２が嵌入されていない状態となり、第２刃部１２と第２連結部２２とが分離した状態となる。
【００３２】
切断具１においては、接続部２３をスライドさせることにより、第２刃部１２と第２連結部２２との位置関係を変化させることなく、接続状態と分離状態とを第２刃部１２ごとに別個に変更できる。このため、鋏部１０のそれぞれにおいて第１刃部１１および第２刃部１２を閉じた状態で、第２刃部１２と第２連結部２２とを個別に分離した後、第１保持部１３および第２保持部１４を個別に開くことにより、切断された毛髪の複数の部分を個別に採取することができる。
【００３３】
図７の（ｃ）は、接続部２３の変形例の構成を示す図である。図７の（ｃ）に示す変形例においては、溝部２３ａの縁に返し２３ｂが形成されている。返し２３ｂは、第２連結部２２と着脱可能に接続される第２刃部１２と第２連結部２２とが分離することを防止する。このため、切断具１により毛髪を切断する時には、第２連結部２２が溝部２３ａから外れにくくなる。また、返し２３ｂは、強い力を加えると変形するように構成されている。このため、第２刃部１２と第２連結部２２とを分離させる時には、第２連結部２２および／または第２刃部１２に強い力を加えることで、返し２３ｂを変形させて、第２刃部１２と第２連結部２２とを分離させることができる。返し２３ｂの具体的な形状は、図７の（ｃ）に示したものに限らず、適宜形成されてよい。
【００３４】
また、必ずしも全ての第２刃部１２が第２連結部２２と着脱可能に接続されている必要はない。例えば、毛髪の採取する箇所以外の余剰部分を保持する第１保持部１３および第２保持部１４に対応する第２刃部１２については独立して開く必要はない。このような第２刃部１２については、第２連結部２２と一体に形成されていてもよい。
【００３５】
また、毛髪の採取の過程で第２刃部１２を開く順番が決まっている場合、最後に開く第２刃部１２については独立して開く必要はない。このような第２刃部１２も、第２連結部２２と一体に形成されていてもよい。
【００３６】
（切断具１の使用方法）
図８は、毛髪Ｈを切断した後の切断具１の状態を示す側面図である。図９は、１つの接続部２３をスライドさせた切断具１の状態を示す平面図である。図１、図２、図８、および図９を参照して、切断具１の使用方法を以下に説明する。
【００３７】
まず、切断する毛髪を頭皮から引っ張り、図１および図２に示すように、状態で第１刃部１１および第２刃部１２の間に配する。この状態で、第１持ち手３１および第２持ち手３２の間隔を小さくすると、図８に示すように、それぞれの鋏部１０において第１刃部１１および第２刃部１２が閉じて毛髪がせん断される。せん断された毛髪は、それぞれの鋏部１０において、第１保持部１３および第２保持部１４の間で保持される。
【００３８】
この状態で、図９に示すように、１つの接続部２３をスライドさせ、第２刃部１２と第２連結部２２とを分離させる。分離された第２刃部１２は回動可能となるため、当該第２刃部１２を含む鋏部１０においては、第１保持部１３および第２保持部１４の間に保持されていた毛髪を採取することができる。切断具１が備える複数の接続部２３について、別個にスライドさせ、第２刃部１２と第２連結部２２とを分離させることで、それぞれの第１保持部１３および第２保持部１４の間に保持されていた毛髪を採取することができる。
【００３９】
なお、上記の実施形態では、切断具１について、毛髪を切断するものとして説明を行った。切断具１によれば、対象物を切断した後でも毛髪が散乱することなく、切断された対象物を第１保持部１３と第２保持部１４で保持することができる。毛髪は、切断された状態で、毛根側から毛先側にかけて整列されているので、生理活性物質の蓄積量を測定するための試料として扱いやすくなる。しかし、切断具１は、毛髪以外の対象物をせん断するものであってもよい。毛髪以外の対象物としては、一般的に切断するときに鋏を用いる者であれば特に限定されず、例えば、紙や布、紐、葉や茎などの植物の一部、麺などの食材が挙げられる。
【００４０】
〔実施形態２〕
本開示の他の実施形態について、以下に説明する。なお、説明の便宜上、上記実施形態にて説明した部材と同じ機能を有する部材については、同じ符号を付記し、その説明を繰り返さない。
【００４１】
図１０は、本実施形態に係る切断具１Ａの構成を示す図である。図１０においては、第１持ち手３１および第２持ち手３２は省略されている。図１０に示すように、切断具１Ａは、接続部２３の代わりに、分離防止部２４（接続部）を備える。
【００４２】
分離防止部２４は、第２刃部１２と第２連結部２２とを着脱可能に接続する。また、分離防止部２５は、第２刃部１２と第２連結部２２とが分離することを防止する。図１０に示すように、分離防止部２４の一例として、ネジが挙げられる。本実施形態の第２刃部１２には、分離防止部２４が螺合するネジ穴が形成されている。また、本実施形態の第２連結部２２には、分離防止部２４が貫通する貫通孔が形成されている。第２刃部１２に形成されたネジ穴および第２連結部２２に形成された貫通孔は、第２刃部１２に対する第２連結部２２の接続位置を規定するガイドとしても機能する。
【００４３】
切断具１Ａにおいては、分離防止部２４により、第２刃部１２と第２連結部２２とを確実に固定することができる。また、切断具１Ａによれば、分離防止部２４を個別に外すことで第２刃部１２と第２連結部２２とを個別に分離した後、第１保持部１３および第２保持部１４を個別に開くことにより、切断された毛髪の複数の部分を個別に採取することができる。
【００４４】
図１１は、切断具１Ａの、別の構成を示す図である。切断具１Ａにおいて、貫通孔およびネジ穴が形成される位置は、当該貫通孔およびネジ穴に分離防止部２４を挿入するときに他の部材と干渉しない位置であれば、図１０に示した例に限らない。図１１に示す切断具１Ａの構成においては、分離防止部２４が第２刃部１２から第１刃部１１に向かう方向に挿入されるように貫通孔およびネジ穴が形成されている。当該構成によれば、切断具１Ａにより切断した毛髪を固定するために、ユーザが第１持ち手３１および第２持ち手３２を把持している状態のままでも分離防止部２４を外しやすいという利点がある。
【００４５】
また、実施形態１において説明した接続部２３が、さらに分離防止部２４を含んでいてもよい。この場合、第２刃部１２にネジ穴が形成され、接続部２３に貫通孔が形成される。この場合、第２刃部１２と第２連結部２２とが嵌合して接続した状態で、分離防止部２４により固定することで、接続部２３が第２刃部１２から外れることを防止できる。さらに、接続部２３が返し２３ｂを有する場合には、接続部２３が第２刃部１２から外れることを、より確実に防止できる。
【００４６】
〔実施形態３〕
本開示の他の実施形態について、以下に説明する。
【００４７】
図１２は、本実施形態に係る切断具１Ｂが備える分離防止部２５の構成を示す図であって、（ａ）は第２刃部１２と第２連結部２２との分離を分離防止部が防止する状態を示す図であり、（ｂ）は第２刃部１２と第２連結部２２との分離を分離防止部が防止しない状態を示す図である。また、図１２の（ｃ）は、図１２の（ａ）に示した状態を、第２連結部２２に平行な方向から見た図である。なお、図１２の（ａ）および（ｂ）では、第２連結部２２を省略している。
【００４８】
分離防止部２５（接続部）は、分離防止部２４と同様、第２刃部１２と第２連結部２２とを着脱可能に接続する。また、分離防止部２５は、第２刃部１２と第２連結部２２とが分離することを防止する。図１２の（ａ）および（ｂ）に示すように、分離防止部２５は、溝部２５ａ、固定ジグ２５ｂ（可動部材）、およびジグ回転軸２５ｃを含む。
【００４９】
溝部２５ａは、第２連結部２２の一部を受け入れる溝である。固定ジグ２５ｂは、溝部２５ａの開放側の端部の少なくとも一部を塞ぐ状態と、当該端部を開放する状態とを切り換え可能な可動部材である。溝部２５ａは、第２刃部１２の、第１刃部１１と対向する側に設けられている。
【００５０】
ジグ回転軸２５ｃは、固定ジグ２５ｂを第２刃部１２に対して回動可能に接続する軸である。固定ジグ２５ｂは、ジグ回転軸２５ｃの周りで回動することで、溝部２５ａの開放側の端部の、少なくとも一部を塞ぐ状態と、当該端部を開放する状態とを切り換える。
【００５１】
溝部２５ａの幅は、第２連結部２２の幅よりも大きい。このため、溝部２５ａの端部を開放し、第２連結部２２を分離防止部２５から分離させる場合に、第２連結部２２が溝部２５ａの縁に干渉する虞が小さい。
【００５２】
切断具１Ｂにより毛髪を切断する時には、図１２の（ａ）および（ｃ）に示すように、溝部２５ａに第２連結部２２の一部を収容した状態で、固定ジグ２５ｂにより溝部２５ａを覆っている。このため、第２刃部１２と第２連結部２２とが連結した状態で、毛髪を切断することができる。その後、毛髪を採取する際には、図１２の（ｂ）に示すように、固定ジグ２５ｂをジグ回転軸２５ｃの周りで回動させ、固定ジグ２５ｂが溝部２５ａを覆わない状態とする。この状態では第２刃部１２を第２連結部２２から分離させることができるため、第２刃部１２を独立して開くことができる。
【００５３】
このような切断具１Ｂによっても、第２刃部１２と第２連結部２２とを個別に分離した後、第１保持部１３および第２保持部１４を個別に開くことにより、切断された毛髪の複数の部分を個別に採取することができる。
【００５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５５】
１、１Ａ、１Ｂ  切断具
１０  鋏部
１１  第１刃部
１２  第２刃部
１３  第１保持部
１４  第２保持部
２１  第１連結部
２２  第２連結部
２３  接続部
２４、２５  分離防止部（接続部）
２５ａ  溝部
２５ｂ  固定ジグ（可動部材）
【図１】
2020000808.tif 000003
【図２】
2020000808.tif 000004
【図３】
2020000808.tif 000005
【図４】
2020000808.tif 000006
【図５】
2020000808.tif 000007
【図６】
2020000808.tif 000008
【図７】
2020000808.tif 000009
【図８】
2020000808.tif 000010
【図９】
2020000808.tif 000011
【図１０】
2020000808.tif 000012
【図１１】
2020000808.tif 000013
【図１２】
2020000808.tif 000014